(57)【要約】【課題】サイドサポート部の性能をより向上させることにある。【解決手段】膨張状態のバッグ部材１０が、気体の流入量が多くなるに従って、乗員側部に対面可能な面積を減少させつつ着座部６ａ側に向けて次第に膨張するとともに、気体の流出に従って、乗員側部に対面可能な面積が増加する構成とした。【選択図】図４
2014100975.tif 000002
【特許請求の範囲】
【請求項１】
シートクッションやシートバック等のシート構成部材を備えるとともに、前記シート構成部材が、乗員の着座可能な着座部と、前記着座部の側方に配置して乗員側部に対面可能に突出するサイドサポート部を有し、
前記サイドサポート部内にバッグ部材を設けて、前記乗員側部の対面位置に配置するとともに、前記バッグ部材の膨張又は収縮にて前記サイドサポート部の外形形状を変更可能である車両用シートにおいて、
膨張状態の前記バッグ部材が、気体の流入量が多くなるに従って、前記乗員側部に対面可能な領域を減少させつつ前記着座部側に向けて次第に膨張するとともに、気体の流出に従って、前記乗員側部に対面可能な領域が増加する構成とした車両用シート。
【請求項２】
前記シートバックと前記シートクッションが連結部にて連結されるとともに、前記サイドサポート部が、前記連結部から前記シート構成部材の端部に向けて形成され、
前記バッグ部材が、前記連結部側の第一端部と、前記シート構成部材の端部側の第二端部とを有し、
前記第一端部側の前記着座部を臨む一側とは異なる他側を、前記バッグ部材とは異なるシート内の他部材に固定して、膨張状態の前記バッグ部材が、気体の流入量が多くなるに従って、次第に前記連結部に向けて縮小しつつ前記着座部側に向けて膨張するとともに、気体の流出に従って、前記連結部から前記シート構成部材の端部に向けて次第に膨張する構成とした請求項１に記載の車両用シート。
【請求項３】
前記シート構成部材が、シート骨格をなすフレーム部材を有するとともに、前記バッグ部材が、膨張及び収縮可能な袋状の可変部位と、前記可変部位に連結する面状の固定部位を有し、
前記固定部位を、ボルト部材等の締結部材を介して、前記他部材としての前記フレーム部材に固定する構成とした請求項１又は２に記載の車両用シート。
【発明の詳細な説明】
【技術分野】
【０００１】
本発明は、サイドサポート部（乗員側部を支持可能な部位）を備えた車両用シートに関する。
【背景技術】
【０００２】
この種の車両用シートとして、シートクッションとシートバックを備えた車両用シートが公知である（特許文献１を参照）。この車両用シートは、乗員の着座可能な着座部と、サイドサポート部を有する。
着座部は、例えばシートクッションの中央に形成された平坦部位であり、シート前後にわたって形成される。またサイドサポート部は、着座部側方の凸部位であり、乗員側部を支持することができる。
公知技術では、シート前後に長尺な略長方形状のバッグ部材を、シートクッションの側部内（表皮材とクッション材の間）に配置しつつ、シート外のポンプ部材に連通する。そしてバッグ部材に気体を供給してシート上方に向けて膨張させることにより、サイドサポート部を形成することができる。
【０００３】
ところでこの種のシート構成では、シート性能向上の観点から、乗員体形差に合わせてサイドサポート部の外形形状を適宜変更できることが望ましい。
例えば大柄の乗員（ＳＡＥ規格におけるＡＭ９５に相当）では、サイドサポート部をシート前後に長めに形成して、乗員側部に対面する領域を大きくすることが望ましい。また小柄の乗員（ＳＡＥ規格におけるＪＦ０５に相当）では、サイドサポート部を着座部側に突出させるなどして、乗員側部に近接させる（拘束性を高める）ことが望ましい。
【先行技術文献】
【特許文献】
【０００４】
【特許文献１】特開２００７−２７６６８０号公報
【発明の概要】
【発明が解決しようとする課題】
【０００５】
しかし公知技術の構成では、サイドサポート部をシート上方に向けて突出させるだけの構成である。このため公知技術の構成は、乗員体形差に合わせてサイドサポート部の外形形状を変更する（例えば乗員側部に対面する領域を変更したり着座部側に突出させたりする）ことができず、シート性能向上の観点から、すんなり採用できる構成ではなかった。
本発明は上述の点に鑑みて創案されたものであり、本発明が解決しようとする課題は、サイドサポート部の性能を向上させることにある。
【課題を解決するための手段】
【０００６】
上記課題を解決するための手段として、第１発明の車両用シートは、シートクッションやシートバックなどのシート構成部材を備える。そしてシート構成部材が、乗員の着座可能な着座部と、着座部の側方に配置して乗員側部に対面可能に突出するサイドサポート部を有する。
本発明では、サイドサポート部内にバッグ部材を設けて、乗員側部の対面位置に配置する。そしてバッグ部材の膨張又は収縮にてサイドサポート部の外形形状を変更するのであるが、この種のシート構成では、サイドサポート部の性能を向上できることが望ましい。
そこで本発明では、上述の膨張状態のバッグ部材が、気体の流入量が多くなるに従って、乗員側部に対面可能な領域を減少させつつ着座部側に向けて次第に膨張するとともに、気体の流出に従って、乗員側部に対面可能な領域が増加する構成とした。
本発明によれば、バッグ部材の膨張状態を調節することにより、サイドサポート部の外形形状を、乗員体形差に合わせて適宜変更することができる。
【０００７】
第２発明の車両用シートは、第１発明の車両用シートであって、シートバックとシートクッションが連結部にて連結されるとともに、サイドサポート部が、連結部からシート構成部材の端部に向けて形成される。
本発明では、バッグ部材が、連結部側の第一端部と、シート構成部材の端部側の第二端部とを有する。そこで第一端部側の着座部を臨む一側とは異なる他側を、バッグ部材とは異なるシート内の他部材に固定する。そしてバッグ部材が、気体の流入量が多くなるに従って、次第に連結部に向けて縮小しつつ着座部側に向けて膨張するとともに、気体の流出に従って、連結部からシート構成部材の端部に向けて次第に膨張する構成とした。
本発明では、バック部材を適切な部位で固定することにより、バッグ部材を適切な方向に向けて膨張させることができる。
【０００８】
第３発明の車両用シートは、第１発明又は第２発明の車両用シートにおいて、シート構成部材が、シート骨格をなすフレーム部材を有するとともに、バッグ部材が、膨張及び収縮可能な袋状の可変部位と、可変部位に連結する面状の固定部位を有する。
そこで本発明では、固定部位を、ボルト部材等の締結部材を介して、他部材としてのフレーム部材に固定する構成とした。このようにバッグ部材の取付け安定性を向上させることにより、サイドサポート部の耐久性を向上させることができる。
【発明の効果】
【０００９】
本発明に係る第１発明によれば、サイドサポート部の性能を向上させることができる。また第２発明によれば、サイドサポート部の性能をより向上させることができる。そして第３発明によれば、サイドサポート部の性能を更に向上させることができる。
【図面の簡単な説明】
【００１０】
【図１】車両用シートの斜視図である。
【図２】シートバックの一部透視正面図である。
【図３】（ａ）は、バッグ部材の斜視図であり、（ｂ）は、変形例にかかるバッグ部材の正面図である。
【図４】シートバック一部の概略断面図であり、（ａ）は、収縮状態のバッグ部材を図示し、（ｂ）は、第一膨張状態のバッグ部材を図示し、（ｃ）は、第二膨張状態のバッグ部材を図示する。
【図５】実施例２にかかるシートクッションの一部透視正面図である。
【図６】実施例２にかかるバッグ部材の斜視図である。
【図７】実施例２にかかるシートクッションの一部透視側面図である。
【発明を実施するための形態】
【００１１】
以下、本発明を実施するための形態を、図１〜図７を参照して説明する。各図には、適宜、車両用シート前方に符号Ｆ、車両用シート後方に符号Ｂ、車両用シート上方に符号ＵＰ、車両用シート下方に符号ＤＷを付す。
図１の車両用シート２は、シート構成部材（シートクッション４，シートバック６，ヘッドレスト８）を有する。これらシート構成部材は、各々、シート骨格をなすフレーム部材（４Ｆ，６Ｆ，８Ｆ）と、シート外形をなすクッション材（４Ｐ，６Ｐ，８Ｐ）と、クッション材を被覆する表皮材（４Ｓ，６Ｓ，８Ｓ）を有する。
【００１２】
＜実施例１＞
シートバック６は、シートクッション４に起倒可能に連結する部材であり、着座部６ａと、一対のサイドサポート部６ｂと、連結部ＣＭ（リクライニング機構）を有する（図１及び図２を参照）。
ここで着座部６ａは、シートバック６中央の平坦部位であり、乗員（Ｃ１，Ｃ２）の着座が可能である。また一対のサイドサポート部６ｂ（詳細後述）は、それぞれ着座部６ａの側方に配置する凸部位であり、車両のコーナリング時などに乗員（Ｃ１，Ｃ２）の側方を支持できる。
また連結部ＣＭは、起立状態のシートバック６下部とシートクッション４後部を連結する部位である。本実施例の連結部ＣＭには、シートバック６の起倒状態を維持する機構（リクライニング機構）が設けられており、シート幅方向に延びる軸部２ｒを有する。そして軸部２ｒを中心とする回転動作により、シートバック６が、シートクッション４に対して起立する起立状態と、シート前後に向けて傾斜又は倒れる傾倒状態の間で変位する。
【００１３】
ところでこの種のシート構成では、乗員体格差等に応じて、サイドサポート部６ｂの外形形状を適宜変更できることが望ましい（図２を参照）。
例えば小柄の乗員Ｃ１は、肩幅が狭いことからサイドサポート部６ｂから離間しつつ、比較的狭い範囲のサイドサポート部６ｂ（連結部ＣＭ寄りの部分）に対面する。
また大柄の乗員Ｃ２は、肩幅が広いことからサイドサポート部６ｂに近接しつつ、比較的広範囲のサイドサポート部６ｂに（連結部ＣＭから上端部にかけて）対面する。
そして本実施例では、膨張及び収縮可能なバッグ部材１０を、サイドサポート部６ｂ内に設けて、乗員側部の対面位置に配置する。そしてバッグ部材１０の膨張又は収縮にて、サイドサポート部６ｂの外形形状を適宜変更するのであるが、この種のシート構成では、サイドサポート部６ｂの性能を向上できることが望ましい。
そこで本実施例では、後述の構成にて、サイドサポート部６ｂの性能を向上させることとした。以下、各構成について詳述する。
【００１４】
［サイドサポート部］
サイドサポート部６ｂは、乗員側部に対面可能に突出する部位であり、バッグ部材１０（後述）を収納可能な空間部を有する（図１、図２及び図４を参照）。
空間部（図示省略）は、クッション材６Ｐと表皮材６Ｓの間（又はクッション材６Ｐの裏面側）に形成することができ、バッグ部材１０の膨張又は収縮を許容する収容寸法を有する。
本実施例の各サイドサポート部６ｂは、起立状態のシートバック６を基準として、それぞれシートバック６下部（連結部ＣＭ）からシートバック６の上端部に向けて形成される。そしてサイドサポート部６ｂの外形形状を、後述するようにバッグ部材１０（詳細後述）の膨張状態を調節することで適宜変更可能とした。
【００１５】
［バッグ部材］
バッグ部材１０は、膨張又は収縮可能な袋状部材であり、後述の構成（第一端部１１，第二端部１２，第一面ＦＳ１〜第四面ＦＳ４，固定部１８）を有する（図２〜図４を参照）。
そしてバック部材１０は、気体（ガスやエア）の流入出により、収縮状態と、第一膨張状態と、第二膨張状態の間で変位可能である（図４を参照）。収縮状態のバッグ部材１０は気体未流入の状態である。また第一膨張状態のバッグ部材１０は適度に気体が流入した状態であり、略直方体状に膨張する。そして第二膨張状態のバッグ部材１０は、第一膨張状態よりも更に気体が流入した（流入量の多い）状態であり、略球形状に膨張する（なお図２では乗員に押されてややつぶれた状態である）。
本実施例では、バッグ部材１０を、後述のように各サイドサポート部６ｂ内に配置したのち、ホース部材（図示省略）を介してポンプ部材（図示省略）に連通する（気体の供給又は排出を可能とする）。このとき制御部材（図示省略）にて気体の供給及び排出を制御することで、各バッグ部材１０を同期して又は個別に膨張又は収縮させることができる。
【００１６】
［バッグ部材の取付け作業（固定部位の形成）］
図１〜図４を参照して、バッグ部材１０を、各サイドサポート部６ｂ内に配置しつつ、シート内の他部材（表皮材６Ｓの裏面やフレーム部材６Ｆやクッション材６Ｐ等）に固定する。
本実施例では、バッグ部材１０を、連結部ＣＭから上端部に向けて配置する。このときバッグ部材１０の長尺方向の一端（第一端部１１）を連結部ＣＭ側に配置するとともに、バッグ部材１０の他端（第二端部１２）を上端部側に配置する（なお各図では、便宜上、一部のバック部材の端部にのみ符号を付す）。
そこでバッグ部材１０を、その第一端部１１側で他部材に固定しつつ（固定部１８を形成しつつ）、その他のバッグ部材部分を非固定状態（膨張又は収縮可能な状態）で保持する。このように第一端部１１側に固定部１８を形成することで、バッグ部材１０を上端部側にスムーズに膨張させることができる。またバッグ部材１０（第二膨張状態）を、連結部ＣＭ寄りの部分で着座部６ａ側に膨張させることができる。
【００１７】
ところで固定部１８（スポット状）は、バッグ部材１０の各面（第一端部１１を形成する面、他の面ＦＳ１〜ＦＳ４）の少なくとも一面に形成できる（図３（ａ）を参照）。
ここでシートバック６（起立状態）を基準として、第一面ＦＳ１はシート前方を臨む面である。また第二面ＦＳ２は着座部６ａ側を臨む面であり、第三面ＦＳ３はシート側方を臨む面であり、第四面ＦＳ４はシート内方を臨む面である。
そして固定部１８を、第二面ＦＳ２以外の面（着座部を臨む一側とは異なる他側）に形成することで、バッグ部材１０が着座部６ａ側にスムーズに膨張できる。例えば本実施例では、固定部１８を、第三面ＦＳ３のシート内方側に形成する。このように第三面ＦＳ３に固定部１８を設けることで、着座部６ａ側へのスムーズな膨張を許容できる。さらに第三面ＦＳ３のシート内方側に固定部１８を設けることで、バッグ部材１０のシート前側（乗員側）へのスムーズな膨張を許容できる。
【００１８】
ここでバッグ部材１０の固定方法は特に限定しないが、本実施例における接着や融着のほかに、ファスナ部材や締結部材を用いての固定を例示できる（図３を参照）。
例えば変形例では、バッグ部材１０ａに、膨張及び収縮可能な袋状の可変部位１８ａと、可変部位１８ａに連結する面状の固定部位１８ｂを設ける（図３（ｂ）を参照）。固定部位１８ｂには、ボルト部材ＢＭ（締結部材の一例）を挿設可能な一対の孔部Ｈが設けられる。
そこで固定部位１８ｂを、ボルト部材ＢＭを介して、フレーム部材６Ｆ（他部材の一例）に固定する。このようにバッグ部材１０ａ（固定部位１８ｂ）をフレーム部材６Ｆに固定することにより、バッグ部材１０の取付け安定性に優れる構成となる。
【００１９】
［サイドサポート部の外形形状の変更］
図２及び図４を参照して、乗員体形差に合わせてバッグ部材１０を適宜膨張させることにより、サイドサポート部６ｂの外形形状を変更する。
例えば小柄の乗員Ｃ１の場合、バッグ部材１０に気体を流入して略球形状とする（第二膨張状態とする）。この状態のバッグ部材１０は、乗員側部に対面可能な領域（シート上下方向の範囲）を減少させつつ、着座部６ａ側に向けて膨張する。
このとき第一端部１１側に固定部１８を設けることで、バッグ部材１０を連結部ＣＭ寄りの部分で着座部６ａ側にスムーズに膨張させることができる（図１及び図３を参照）。
このようにバッグ部材１０を第二膨張状態（略球形状）とすることで、サイドサポート部６ｂを着座部６ａに向けて突出させることができる。このためサイドサポート部６ｂの外形形状を小柄の乗員Ｃ１の体形にあわせて変更できる。
【００２０】
また大柄の乗員Ｃ２の場合、バッグ部材１０から気体を流出させて略直方体状とする（第一膨張状態とする）。この状態のバッグ部材１０は、乗員側部に対面可能な領域（シート上下方向の範囲）を増加させつつ、着座部６ａから離間する。
このようにバッグ部材１０を第一膨張状態（略直方体状）とすることで、着座部６ａの幅寸法を広げつつ、サイドサポート部６ｂを連結部ＣＭから上端部に向けて（広い領域で）シート前方に突出させることができる。このためサイドサポート部６ｂの外形形状を大柄の乗員Ｃ２の体形にあわせて変更できる。
【００２１】
以上説明したとおり本実施例によれば、バッグ部材１０の膨張状態の調節にて、サイドサポート部６ｂの外形形状を、乗員体形差に合わせて適宜変更できる。
また本実施例では、第一端部１１側の第三面ＦＳ３（着座部を臨む一側とは異なる他側）に固定部１８を設ける。このようにバッグ部材１０を適切な部位で固定することにより、バッグ部材１０を適切な方向に向けて膨張させることができる。
このため本実施例によれば、サイドサポート部６ｂの性能を向上させることができる。
【００２２】
＜実施例２＞
実施例２の車両用シートは、実施例１の基本構造とほぼ同一であるため、共通の構造等については対応する符号を付して詳細な説明を省略する。
本実施例では、バッグ部材１０Ａ（バッグ部材１０と略同一構成）を、シートクッション４のサイドサポート部４ｂ内に配置する（図５〜図７を参照）。
そしてバッグ部材１０Ａを、連結部ＣＭからシートクッション４の前端部に向けて配置する。このときバッグ部材１０Ａの長尺方向の一端（第一端部１１）を連結部ＣＭ側に配置するとともに、バッグ部材１０Ａの他端（第二端部１２）を前端部側に配置する（なお各図では、便宜上、一部のバック部材の端部にのみ符号を付す）。
そこで本実施例においても、バッグ部材１０Ａを、その第一端部１１側で他部材に固定しつつ（固定部１８を形成しつつ）、その他のバッグ部材部分を非固定状態（膨張又は収縮可能な状態）で保持する。
【００２３】
また固定部１８は、バッグ部材１０Ａの各面（第一端部１１を形成する面、その他の面ＦＳ１〜ＦＳ４）の少なくとも一面に形成できる（図６を参照）。
第一面ＦＳ１はシート上方を臨む面であり、第二面ＦＳ２は着座部６ａ側を臨む面であり、第三面ＦＳ３はシート側方を臨む面であり、第四面ＦＳ４はシート内方を臨む面である。そして本実施例では、固定部１８を、第三面ＦＳ３のシート内方側に形成することで、実施例１と同様に、バッグ部材１０Ａを適切な方向に膨張させることができる。
【００２４】
そしてバッグ部材１０Ａを適宜膨張させることにより、乗員体形差に合わせてサイドサポートの外形形状を変更する（図５及び図７を参照）。
例えば小柄の乗員の場合、バッグ部材１０Ａに気体を流入して第二膨張状態とする。この状態のバッグ部材１０Ａは、乗員側部に対面可能な領域（シート前後方向の範囲）を減少させつつ、着座部４ａ側に向けて膨張する。
また大柄の乗員の場合、バッグ部材１０Ａから気体を流出させて第一膨張状態とする。この状態のバッグ部材１０Ａは、乗員側部に対面可能な領域（シート前後方向の範囲）を増加させつつ、着座部４ａから離間する。
このため本実施例においても、サイドサポート部４ｂの外形形状を乗員の体形にあわせて変更できる（サイドサポート部４ｂの性能を向上させることができる）。
【００２５】
本実施形態の車両用シートは、上述した実施形態に限定されるものではなく、その他各種の実施形態を取り得る。
（１）本実施形態では、各サイドサポート部６ｂ（４ｂ）に単数のバッグ部材１０（１０Ａ）を配置したが、複数のバッグ部材を配置することもできる。また一対のサイドサポート部６ｂ（４ｂ）にそれぞれバッグ部材１０（１０Ａ）を配置してもよく、少なくとも一方のサイドサポート部にバッグ部材を配置することもできる。
（２）また本実施形態では、バッグ部材１０（１０Ａ）の構成（形状，寸法，取付け位置等）を例示したが、同部材の構成は、シート構成に応じて適宜変更可能である。
（３）また本実施例では、スポット状の固定部１８を例示したが、ライン状の固定部や面状の固定部を形成することもできる。
（４）また本実施形態では、シートクッション４及びシートバック６を一例に説明したが、ヘッドレスト８等の各種シート構成に適用可能である。
【符号の説明】
【００２６】
２     車両用シート
４     シートクッション
６     シートバック
８     ヘッドレスト
６ａ   着座部
６ｂ   サイドサポート部
６Ｓ   表皮材
６Ｐ   クッション材
６Ｆ   フレーム部材
１０   バック部材
１１   第一端部
１２   第二端部
１８   固定部
１８ａ 可変部位
１８ｂ 固定部位
ＣＭ   連結部
【図１】
2014100975.tif 000003
【図２】
2014100975.tif 000004
【図３】
2014100975.tif 000005
【図４】
2014100975.tif 000006
【図５】
2014100975.tif 000007
【図６】
2014100975.tif 000008
【図７】
2014100975.tif 000009